Podtech/llm-jp-corpus-v4-ja_patent huggingface dataset:
【手続補正書】
【提出日】平成16年5月18日(2004.5.18)
【手続補正１】
【補正対象書類名】特許請求の範囲
【補正対象項目名】全文
【補正方法】変更
【補正の内容】
【特許請求の範囲】
【請求項１】
粒子を制御して偏向する装置であって、
複数の粒子のソースと、
前記複数の粒子に加えられるバイアス力のソースからの外部のバイアス力と、
光ピンセットの各々に対応付けられたトラッピング力を有する複数の光ピンセットを含む、前記バイアス力のソースが発生した前記バイアス力（からの力）の方向に関連した傾斜角に向けられた光ピンセットのアレイと、
を備えることを特徴とする装置。
【請求項２】
請求項１に記載の装置であって、前記傾斜角が粒子の流速を最適にするように選択されることを特徴とする装置。
【請求項３】
請求項１に記載の装置であって、前記光ピンセットのアレイが、それぞれが所望の電位井戸の深さを確立するための指定された光の輝度を有し、前記外部のバイアス力に対して選択された（不）整合を確立するためのパターンで配列される複数の光学的電位井戸を含むことを特徴とする装置。
【請求項４】
請求項３に記載の装置であって、前記光ピンセットのアレイが、前記複数の光ピンセットを用いて異なる寸法の粒子を処理するために少なくとも２つの異なる電位井戸の深さを含むことを特徴とする装置。
【請求項５】
請求項１に記載の装置であって、前記傾斜角が粒子の偏向方向を選択するために調整可能であることを特徴とする装置。
【請求項６】
請求項５に記載の装置であって、前記偏向角度が粒子の寸法、粒子が処理された媒体の屈折率に対する粒子の屈折率、粒子の形状、粒子の濃度、誘電率、磁化率及び粒子の界面化学の少なくとも１つにより変化することを特徴とする装置。
【請求項７】
請求項１に記載の装置であって、前記外部のバイアス力が、前記外部のバイアス力の方向から粒子の偏向角度を修正するように調整されることを特徴とする装置。
【請求項８】
請求項１に記載の装置であって、粒子の運動の制御が前記光ピンセットを形成するためにレーザ光の輝度を変化させるレーザビームの光源によって得られることを特徴とする装置。
【請求項９】
請求項８に記載の装置であって、適当なレーザ光の輝度を選択することによって、大きな粒子を小さい粒子から選択的に分離することができることを特徴とする装置。
【請求項１０】
請求項１に記載の装置が、前記粒子をさらに偏向するために前記光ピンセットの別の段階をさらに含むことを特徴とする装置。
【請求項１１】
請求項１に記載の装置であって、前記粒子がコロイド粒子、高分子、生物学的細胞、生物学的小器官、染色体、及びその混合体から成るグループから選択されることを特徴とする装置。
【請求項１２】
粒子の動きを制御する方法であって、
粒子に流れを与えるステップと、
前記粒子に外部のバイアス力を加えるステップと、
光の勾配野のアレイを形成することによって、前記外部のバイアス力の方向に関連した角度で傾斜した光ピンセットのアレイを作るステップと、
を含むことを特徴とする方法。
【請求項１３】
請求項１２に記載の方法が、前記光ピンセットのアレイを作るために使用されるレーザビームの輝度を変化させるステップをさらに含み、これにより、前記粒子の流れを制御することを特徴とする方法。
【請求項１４】
請求項１２に記載の方法が、前記外部のバイアス力の強度を変更するステップをさらに含み、これにより、前記粒子の流れを制御することを特徴とする方法。
【請求項１５】
請求項１２に記載の方法であって、前記粒子が寸法、形状、濃度、電荷、磁化率、磁化能率、誘電率、及び前記外部のバイアス力、レーザビームの輝度及び光ピンセットのアレイの少なくとも１つに対応して変化できる線形及び非線形の光学特性の少なくとも１つに対して範囲を有し、これにより、前記粒子に対する偏向角度の範囲を作ることを特徴とする方法。
【請求項１６】
請求項１２に記載の方法であって、前記角度が前記粒子の流速を変化するように調整されることを特徴とする方法。
【請求項１７】
請求項１２に記載の方法であって、偏向が連続的に発生することを特徴とする方法。
【請求項１８】
請求項１２に記載の方法であって、レーザ光が前記光ピンセットのアレイを形成するために提供され、前記レーザ光の波長が粒子の動きを制御するように調整されることを特徴とする方法。
【請求項１９】
請求項１２に記載の方法であって、前記光ピンセットのアレイ、前記外部のバイアス力及び傾斜角の少なくとも１つが粒子が流れるときに動的に変更されることを特徴とする方法。
【請求項２０】
請求項１２に記載の方法であって、前記粒子がコロイド粒子、高分子、生物学的細胞、生物学的小器官、染色体、及びその混合体から成るグループから選択されることを特徴とする方法。
【手続補正２】
【補正対象書類名】明細書
【補正対象項目名】００２６
【補正方法】変更
【補正の内容】
【００２６】
図５のデータ点及び接続する実線は、システム１０の中で粒子１１３が受ける加えられたトラッピング力が比較的強い場合に粒子１１３が得た相対的な横方向の速度を示している。他方、点線は、加えられた力１１６がトラッピング力よりも強い場合に、同じ粒子１１３に対して期待される横方向の偏向がない場合を示す。図５は、所定のレーザパワー及び外部の駆動力１１６に対して回転角度θを変えることによって、横方向の偏向の量及び方向を最適化することができることも示している。レーザパワーを減少させると、得ることができる最大の偏向を減らすことになり、レーザ２０をオフにすると（図１Ａを参照のこと）偏向は起きなくなる。図５からも分かるように、傾斜角θが約０°又は約２２．５°の場合は横方向の偏向は事実上ほとんどなく、またθが約４５°の場合も偏向はない。しかしながら、傾斜角が約２２．５°の場合には横方向の偏向がないことにも注意されたい。実験に基づいたデータは、所定の粒子の寸法及びパワーの大きさに対して、最大量の横方向の偏向は傾斜角が約１７°に近付いたときに発生することを示している。傾斜角が約２２．５°を通過すると、粒子１１３の横方向の偏向方向は完全に変えられる。実験に基づいたデータは、この反対方向の最大の偏向は傾斜角が３０°に近付くときに発生することを示しているが、この最大の偏向は１７°で発生する最大の偏向よりもかなり小さい。向きに対して横方向の偏向が非単調的に依存することは明らかに消されている。中間及びより小さな角度における他の可能な固定の向きは、現在の寸法のシステムでは消散させることは難しい。基本的には、光ピンセット１１２のより大きなアレイを通って移動することは、他のシステムに対して予想されたデビルの階段に恐らく似通った、より広い範囲の固定された状態の階層を示すであろう。
【手続補正３】
【補正対象書類名】図面
【補正対象項目名】図１Ｃ
【補正方法】変更
【補正の内容】
【図１Ｃ】
2005502482.tif 000001
【手続補正書】
【提出日】平成16年4月7日(2004.4.7)
【手続補正１】
【補正対象書類名】特許請求の範囲
【補正対象項目名】全文
【補正方法】変更
【補正の内容】
【特許請求の範囲】
【請求項１】
配列番号２，４又は６に示すアミノ酸配列のコラーゲン様ドメイン領域の全部又は一部を含むｇＧＭＧ−２ポリペプチド断片であって、そのＮ末端に配置されたユニーク領域内のシステインが、アラニン、アスパラギン酸、グルタミン酸、フェニルアラニン、グリシン、ヒスチジン、イソロイシン、リジン、ロイシン、メチオニン、アスパラギン、プロリン、グルタミン、アルギニン、セリン、トレオニン、バリン、トリプトファン、及びチロシンから成る群から選ばれるアミノ酸で置換されることを特徴とする前記断片。
【請求項２】
以下の：
ａ）配列番号２の少なくとも６の、かつ、２８８以下の連続アミノ酸から本質的に成るｇＧＭＧ−２ポリペプチド断片；
ｂ）配列番号４の少なくとも６の、かつ、２７８以下の連続アミノ酸から本質的に成るｇＧＭＧ−２ポリペプチド断片；及び
ｃ）配列番号６の少なくとも６の、かつ、２５９以下の連続アミノ酸から本質的に成るｇＧＭＧ−２ポリペプチド断片；
から成る群から選ばれ、ここで、配列番号２の６６位、６９位又は７０位のシステイン、配列番号４の５６位、５９位又は６０位のシステイン、又は配列番号６の３７位、４０位又は４１位のシステインが、置換される、ことを特徴とする、請求項１に記載のｇＧＭＧ−２ポリペプチド断片。
【請求項３】
以下の：
ａ）配列番号２のアミノ酸：
【化１】
2005502332.tif 000001
から成るｇＧＭＧ−２ポリペプチド断片であって、６６位、６９位又は７０位のシステインが置換されているもの；
ｂ）配列番号４のアミノ酸：
【化２】
2005502332.tif 000002
から成るｇＧＭＧ−２ポリペプチド断片であって、５６位、５９位又は６０位のシステインが置換されているもの；及び
ｃ）配列番号６のアミノ酸：
【化３】
2005502332.tif 000003
から成るｇＧＭＧ−２ポリペプチド断片であって、３７位、４０位又は４１位のシステインが置換されているもの；
から成る群から選ばれる、請求項１に記載のｇＧＭＧ−２ポリペプチド断片。
【請求項４】
以下の：
ａ）配列番号２のアミノ酸５７〜２８８に少なくとも８０％の同一性を有するｇＧＭＧ−２ポリペプチド断片；
ｂ）配列番号４のアミノ酸４７〜２７８に少なくとも７５％の同一性を有するｇＧＭＧ−２ポリペプチド断片；及び
ｃ）配列番号６のアミノ酸２８〜２５９に少なくとも７５％の同一性を有するｇＧＭＧ−２ポリペプチド断片；
から成る群から選ばれるアミノ酸配列を含む、請求項１又は３に記載のｇＧＭＧ−２ポリペプチド断片。
【請求項５】
前記ｇＧＭＧ−２ポリペプチド断片が、以下の：
ａ）ポリエチレン・グリコールの如き当該断片の半減期を延長する化合物；
ｂ）ＩｇＧ  Ｆｃ；
ｃ）リーダー又は分泌配列；及び／又は
ｄ）当該断片の精製のために使用される配列；
に融合される、請求項１〜４のいずれか１項に記載のｇＧＭＧ−２ポリペプチド断片。
【請求項６】
請求項１〜４のいずれか１項に記載のｇＧＭＧ−２ポリペプチド断片をコードする、単離ポリヌクレオチド又はその相補体。
【請求項７】
請求項６に記載の、ｇＧＭＧ−２ポリペプチド断片をコードする単離ポリヌクレオチド配列を含むベクター。
【請求項８】
請求項７に記載のベクターを含む形質転換された宿主細胞。
【請求項９】
担体と、以下の：
ａ）請求項１〜４のいずれか１項に記載のｇＧＭＧ−２ポリペプチド断片、
ｂ）請求項５に記載のｇＧＭＧ−２ポリペプチド融合断片、
ｃ）請求項６に記載の単離ポリヌクレオチド、又は
ｄ）請求項７に記載のベクター、
とを含む、医薬組成物。
【請求項１０】
請求項１〜４のいずれか１項に記載のｇＧＭＧ−２ポリペプチド断片、請求項５に記載のｇＧＭＧ−２ポリペプチド融合断片、請求項６に記載のポリヌクレオチド、請求項７に記載のベクター、又は請求項９に記載の医薬組成物を含む、個体における循環性遊離脂肪酸レベルを低下させるための医薬組成物。
【請求項１１】
ボディマスをさらに減少させる、請求項１０に記載の医薬組成物。
【請求項１２】
請求項１〜４のいずれか１項に記載のｇＧＭＧ−２ポリペプチド断片、請求項５に記載のｇＧＭＧ−２ポリペプチド融合断片、請求項６に記載のポリヌクレオチド、請求項７に記載のベクター、又は請求項９に記載の医薬組成物を含む、肥満、損なわれたグルコース耐性、インスリン抵抗性、アテローム性動脈硬化症、アテロームの疾患、心疾患、高血圧、卒中、シンドロームＸ、非インスリン依存性真性糖尿病、及びインスリン依存性真性糖尿病を含む肥満関連疾患の治療用医薬組成物。
【手続補正書】
【提出日】平成17年2月24日(2005.2.24)
【手続補正１】
【補正対象書類名】特許請求の範囲
【補正対象項目名】請求項１
【補正方法】変更
【補正の内容】
【請求項１】
少なくとも１個の求めるヌクレオチドシークエンスを有する少なくとも１個の目的細胞を、前記ヌクレオチドシークエンスを有する細胞混合物中で選別または検出する方法において、
（１）細胞混合物を、ハイブリダイゼーション条件下で、プローブとして目的細胞のヌクレオチドシークエンスに相補的である少なくとも１個のポリヌクレオチドを用いて処理し、
（２）こうして処理した細胞混合物を、ポリヌクレオチドプローブに相補的である、固体の担体に固定されたポリヌクレオチドと、ハイブリダイゼーション条件下で接触させ、かつ
（３）固体の担体に固定された目的細胞を固定されていない細胞から分離することを特徴とする、少なくとも１個の目的細胞を選別または検出する方法。
【手続補正書】
【提出日】平成16年4月12日(2004.4.12)
【手続補正１】
【補正対象書類名】特許請求の範囲
【補正対象項目名】請求項１
【補正方法】変更
【補正の内容】
【請求項１】
ヘラオオバコの主要アレルゲンであるPla l 1の少なくとも１つのエピトープを含むペプチド又はタンパク質をコードする核酸分子であって、前記核酸分子が、
ａ）配列ＩＤ番号３の配列を有するか、
ｂ）配列ＩＤ番号３の配列の少なくとも１５塩基対のフラグメントであるか、
ｃ）配列ＩＤ番号４のアミノ酸配列をコードする配列を有し、かつ配列ＩＤ番号３の配列に対して７０％を超える配列同一性を有するか、
ｄ）配列ＩＤ番号４の配列のフラグメントのアミノ酸配列をコードする少なくとも１５塩基対の配列を有しかつ配列ＩＤ番号３の配列に対して９５％を超える配列同一性を有するか、
ｅ）ストリンジェントな条件下で配列ＩＤ番号３にハイブリダイズする配列を有するか、又は
ｆ）配列ａ）〜ｅ）の相補鎖を有する、
ことを特徴とする、核酸分子。
【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
以下（ａ）〜（ｃ）いずれかの単離されたポリヌクレオチド配列：
ａ）配列番号１１、配列番号１２又は配列番号１３の核酸配列を含むポリヌクレオチド配列、
ｂ）配列番号１６のアミノ酸配列をコードするポリヌクレオチド配列、
ｃ）前記（ａ）又は（ｂ）のポリヌクレオチド配列に相補的なポリヌクレオチド配列
【請求項２】
プロモーター配列に作動的に連結されている請求項１のポリヌクレオチド配列を含む発現カセット。
【請求項３】
請求項２の発現カセットを含む発現ベクター。
【請求項４】
配列番号１６のアミノ酸配列を含む単離されたポリペプチド。
【請求項５】
請求項１のポリヌクレオチド配列によってコードされる単離されたポリペプチド。
【請求項６】
請求項４又は５のポリペプチドに免疫学的に特異的に結合するモノクローナル抗体。
【請求項７】
請求項４又は５のポリペプチドに免疫学的に特異的に結合するポリクローナル抗体。
【請求項８】
請求項６のモノクローナル抗体を産生するハイブリドーマ細胞。
【請求項９】
請求項６又は７の抗体および薬学的に許容可能な担体を含む医薬組成物。
【請求項１０】
請求項２の発現カセット又は請求項３のベクターを含む宿主細胞。
【請求項１１】
前記細胞が真核細胞又は原核細胞である、請求項１０の宿主細胞。
【請求項１２】
請求項１のポリヌクレオチド配列を含む非ヒトトランスジェニック動物。
【請求項１３】
前記動物がげっ歯類、マウス又はラットである、請求項１２の非ヒトトランスジェニック動物。
【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】    
【請求項１】  スチルベン・シンターゼ遺伝子（ＳＴＳ）またはスチルベン・シンターゼ遺伝子の一部で転換された転換植物であり、前記スチルベン・シンターゼ遺伝子が、或る特定のスチルベン・シンターゼ酵素をコード化し、この特定のスチルベン・シンターゼ酵素が、前記転換植物内の或る特定のスチルベンの構成レベルを合成し、前記転換植物が、自然な未転換状態において、前記スチルベン・シンターゼ遺伝子に対する高レベルの前駆体を含有することを特徴とする転換植物。
【請求項２】  前記転換植物は赤色であることを視覚的に感知され、前記スチルベン・シンターゼ遺伝子が、レズヴァーラトロール・シンターゼ（ＲＳ）遺伝子であり、前記特定のスチルベン・シンターゼ酵素が、レズヴァーラトロール・シンターゼであり、前記特定のスチルベンが、レズヴァーラトロールであることを特徴とする請求項１記載の転換植物。
【請求項３】  前記転換植物が赤葉レタスであることを特徴とする請求項２記載の転換植物。
【請求項４】  前記転換植物が生存可能な種子を作出できる赤葉レタスであることを特徴とする請求項３記載の転換植物。
【請求項５】  その内部で転換した特定の遺伝子導入スチルベン・シンターゼ（ＳＴＳ）酵素を含有する遺伝子導入植物を受容植物から得られるように作出する方法であって、前記方法が、
ａ）遺伝子導入ＳＴＳ酵素の前駆体を高レベルで含有する受容植物を選ぶ工程と、
ｂ）前記特定のＳＴＳ酵素をコード化するＳＴＳ遺伝子またはＳＴＳ遺伝子の一部からなる遺伝ベクターを用意し、前記ＳＴＳ遺伝子または前記ＳＴＳ遺伝子の一部が、受容植物における前記特定のＳＴＳ酵素の構成発現に適しているプロモータを備える工程と、
ｃ）遺伝ベクターを受容植物に転換する工程と、そして
ｄ）高構成レベルの遺伝子導入・スチルベンを含有する転換植物を選択し、成長させる工程と、
を包含することを特徴とする方法。
【請求項６】  前記選択工程が、さらに、組織培養システムにおけるカルス培養株として前記受容植物を成長させる工程と、前記ＳＴＳ酵素のための前駆体のレベルについて前記カルス培養株を分析する工程とを包含することを特徴とする請求項５記載の方法。
【請求項７】  遺伝子導入レズヴァーラトロール・シンターゼ（ＲＳ）酵素を含有する遺伝子導入植物を受容植物から得られるように作出する方法であって、前記方法が、
ａ）高レベルの４−クマロイルＣｏＡおよびマロニル−ＣｏＡを含有する受容植物を選択する工程と、
ｂ）ＲＳ遺伝子またはＲＳ酵素の一部からなる遺伝ベクターを用意し、前記ＲＳ遺伝子または前記ＲＳ遺伝子の一部が、前記受容植物における前記ＲＳ酵素の構成発現に適しているプロモータを備えている工程と、
ｃ）遺伝ベクターを前記受容植物に転換する工程と、そして、
ｄ）高構成レベルの遺伝子導入レズヴァーラトロールを含有する前記転換植物を選択し、成長させる工程と、
を包含することを特徴とする方法。
【請求項８】  遺伝子導入レズヴァーラトロール・シンターゼ（ＲＳ）酵素を含有する遺伝子導入植物を受容植物から得られるように作出する方法であって、前記方法が、
ａ）高構成レベルのアントシアニンを含有する食用部分を有する受容植物を選択する工程と、
ｂ）ＲＳ酵素をコード化するＲＳ遺伝子またはＲＳ遺伝子の一部からなる遺伝ベクターを用意し、前記ＲＳ遺伝子または前記ＲＳ遺伝子の一部が、前記受容植物における前記ＲＳ酵素の構成発現に適しているプロモータを備える工程と、
ｃ）前記遺伝ベクターを前記受容植物に転換する工程と、そして
ｄ）前記食用部分に高構成レベルのレズヴァーラトロールを含有する前記転換植物を選択して成長させる工程と、
を包含することを特徴とする方法。
【請求項９】  前記受容植物が、赤葉レタスであることを特徴とする請求項８記載の方法。
【請求項１０】  転換植物の食用部分から作った未発酵ジュースの飲料であって、前記ジュースが、少なくとも５０μｇ／ｍｌのレズヴァーラトロールを含有することを特徴とする飲料。
【請求項１１】  グラム乾燥重量あたり少なくとも３０μｇのレズヴァーラトロールを含有することを特徴とする乾燥果実および野菜。
【請求項１２】  グラム乾燥重量あたり少なくとも３０μｇのレズヴァーラトロールを含有することを特徴とする粉末状植物抽出物。
【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】  近位部分、遠位部分、血液を送達するために構成された長手方向に延びる第一の中央ルーメン、および、該第一の中央ルーメンの周囲に配置され、かつ長手方向に延びる少なくとも三つのルーメンを有し、前記少なくとも三つのルーメンは患者から血液を抜取るように構成されているカテーテル本体と；
前記カテーテル本体の遠位部分に形成された少なくとも一つの血液送達開孔部を備え、該少なくとも一つの血液送達開口部は、前記第一のルーメンと液体流通し、かつ、その中を血液が通過するために構成されており；
前記カテーテル本体の外壁に形成された少なくとも三つの血液抜取り開口部を備え、その血液抜取り開口部の夫々が前記少なくとも三つのルーメンの一つと液体流通し、且つ患者から血液を通過させるために構成されている；
ことを特徴とする透析カテーテル。
【請求項２】  請求項１に記載のカテーテルにおいて、前記少なくとも三つの血液抜取り開口部は、前記少なくとも一つの血液送達開口部から近位方向に離間していることを特徴とする透析カテーテル。
【請求項３】  請求項２に記載の透析カテーテルにおいて、更に、前記カテーテル本体の遠位部分に遠位チップ部分を備え、該遠位チップ部分は、前記カテーテル本体における中間部分の第二の硬さよりも大きい第一の硬さを有し、カテーテルが患者に挿入されるときに組織を拡張するのに充分に剛性であることを特徴とする透析カテーテル。
【請求項４】  請求項１に記載の透析カテーテルにおいて、前記血液抜取り開口部は軸方向に細長く、また、カテーテルの横断面と交差することを特徴とする透析カテーテル。
【請求項５】  請求項１に記載の透析カテーテルにおいて、前記カテーテル本体の遠位部分は、前記第一のルーメンを通して挿入された補強部材に係合して、補強部材を前記カテーテル内に一時的に装着するための内部ねじ付き部分を含んでいることを特徴とする透析カテーテル。
【請求項６】  請求項１に記載の透析カテーテルにおいて、前記カテーテルの遠位チップ部分は、前記第一のルーメンを通して挿入された補強部材に当接するようになっている肩部を含んでおり、更に、前記肩部に当接して、前記カテーテル本体内に除去可能に配置できる補強部材を備え、該補強部材はカテーテル本体を張力下に置き、また前記補強部材にトルクを付与することにより、前記カテーテル本体が伸張されて、前記カテーテル本体の外径の少なくとも一部が減少され、さらに、前記補強部材の近位部分は、前記補強部材を前記カテーテルに装着するための一連のねじ溝を有することを特徴とする透析カテーテル。
【請求項７】  請求項１に記載の透析カテーテルにおいて、前記カテーテル本体の遠位部分は、その中に配置された補強挿入物を有し、該挿入物の中には、前記第一のルーメンと連通するルーメンが形成されていることを特徴とする透析カテーテル。
【請求項８】  請求項７に記載の透析カテーテルであって、前記遠位チップ部分は、直径が小さい領域へとテーパしていることを特徴とする透析カテーテル。
【請求項９】  請求項１に記載の透析カテーテルであって、更に、前記中央ルーメン内に除去可能に配置できる補強部材を備え、該補強部材は、前記透析カテーテルに除去可能に装着でき、また、中を通してガイドワイヤを収容するためのルーメンを含むことを特徴とする透析カテーテル。
【請求項１０】  拡張套管針および透析カテーテルを備えた透析カテーテルの配置システムにおいて；該システムは、
ａ）細長い管状部分および該管状部分を通して長手方向に延びるルーメンを有する套管針を備え、前記管状部分は、組織を拡張して皮下組織トンネルを形成するように構成された拡張チップ内で終端し、前記套管針のルーメンは、第一の内径を有し、且つ、ガイドワイヤを回収するために、中を通してガイドワイヤを除去可能に収容するように構成されており；
ｂ）血液送達のために構成された第一のルーメン、および、患者から血液を抜き取るために構成された第二の独立のルーメンを有する透析カテーテルを備え、該透析カテーテルの少なくとも一部は、皮下組織トンネルを通して挿入するために構成された外径を有し、前記透析カテーテルのルーメンのうちの一つは、前記套管針が除去されたときに、前記透析カテーテルをワイヤ上で組織トンネルを通して挿入するためのガイドワイヤを収容するように構成される；
ことを特徴とするシステム。
【請求項１１】  請求項１０に記載のシステムにおいて、更に、前記ガイドワイヤの挿入のために、前記套管針のルーメンと連通した、前記套管針の中に形成された細長い開口部を含むことを特徴とするシステム。
【手続補正書】
【提出日】平成16年3月19日(2004.3.19)
【手続補正１】
【補正対象書類名】特許請求の範囲
【補正対象項目名】請求項１
【補正方法】変更
【補正の内容】
【請求項１】
マルチセグメントフィルタ（４９）あたり、少なくとも２つの異なる種類のフィルタセグメント（６，７，７９，８０〜８３，８３．１〜８３．４，８７）が設けられている、たばこ加工産業のマルチセグメントフィルタ（４９）を製造するためにフィルタセグメント（６，７，７９，８０〜８３，８３．１〜８３．４，８７）のグループ（２７）を組み合わせるための装置において、装置が、それぞれモジュールとして形成された独立した多数の機能ユニット（６０４，６０５．１〜６０５．６，６１．１〜６１．３）に分割可能であることを特徴とする装置。
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
ＭＶＡ  ＯＲＦ  ０５０Ｌ遺伝子またはその機能的部分がウイルスゲノムにおいて不活性化されていることを特徴とするＭＶＡノックアウト変異体。
【請求項２】
ＭＶＡ  ＯＲＦ  ０５０Ｌ遺伝子またはその機能的部分がウイルスゲノムからの欠失により不活性化されていることを特徴とする、請求項１に記載のＭＶＡノックアウト変異体。
【請求項３】
請求項１または２に記載の前記ＭＶＡに感染していることを特徴とする宿主細胞。
【請求項４】
真核細胞である請求項３に記載の宿主細胞。
【請求項５】
ＢＨＫ−２１細胞、ＢＳ−Ｃ−１細胞、ＭＡ１０４細胞またはＣＶ−１細胞である請求項４に記載の真核細胞。
【請求項６】
ＭＶＡ  ＯＲＦ  ０５０Ｌ遺伝子をコードするか、または機能的に同等のＭＶＡ  ＯＲＦ  ０５０Ｌ由来ポリペプチドをコードする配列を含むＤＮＡベクター構築物。
【請求項７】
前記構築物が外来タンパク質をコードするＤＮＡ配列をさらに含む、請求項６に記載のＤＮＡベクター構築物。
【請求項８】
前記外来タンパク質が治療用ポリペプチドおよび病原性因子からなる群に由来する異種ポリペプチドである、請求項７に記載のＤＮＡベクター構築物。
【請求項９】
前記治療用ポリペプチドがｔ−ＰＡまたはインターフェロンからなる請求項８に記載のＤＮＡベクター構築物。
【請求項１０】
前記病原性因子が、ウイルス、細菌、原虫および寄生体ならびに腫瘍細胞もしくは腫瘍関連抗原、またはそれらの機能的部分からなる、請求項８に記載のＤＮＡベクター構築物。
【請求項１１】
前記ウイルスがインフルエンザウイルス、麻疹および呼吸器合胞体ウイルス、デング熱ウイルス、ヒト免疫不全ウイルス、ヒト肝炎ウイルス、ヘルペスウイルスまたは乳頭腫ウイルスからなる群から選択される、請求項１０に記載のＤＮＡベクター構築物。
【請求項１２】
前記原虫が熱帯熱マラリア原虫である請求項１０に記載のＤＮＡベクター構築物。
【請求項１３】
前記細菌が結核を引き起こすマイコバクテリアである請求項１０に記載のＤＮＡベクター構築物。
【請求項１４】
前記腫瘍関連抗原が、黒色腫関連分化抗原、例えばチロシナーゼ、チロシナーゼ関連タンパク質１および２、癌・精巣抗原、例えばＭＡＧＥ−１、２、３、およびＢＡＧＥ、腫瘍上で過剰発現する非変異の共通抗原、例えばＨｅｒ−２／ｎｅｕ、ＭＵＣ−１およびｐ５３から選択される、請求項１０に記載のＤＮＡベクター構築物。
【請求項１５】
前記ＭＶＡ  ＯＲＦ  ０５０Ｌおよび外来タンパク質コード領域がそれぞれ、ＭＶＡゲノム内の非必須部位に隣接するＤＮＡ配列に隣接している、請求項６〜１４のいずれか一項に記載のＤＮＡベクター構築物。
【請求項１６】
前記非必須部位はＭＶＡゲノム内の欠失ＩＩＩの部位である、請求項１５に記載のＤＮＡベクター。
【請求項１７】
プラスミドである、請求項６〜１６のいずれか一項に記載のＤＮＡベクター構築物。
【請求項１８】
請求項３〜５のいずれか一項に記載の宿主細胞を請求項１または２の組換えＭＶＡに感染させる工程と、
該宿主細胞を請求項６〜１７のいずれか一項に記載のＤＮＡベクター構築物でトランスフェクションする工程と、
ＣＥＦ細胞またはニワトリ胚由来ＬＳＣＣ−Ｈ３２細胞または鳥類の細胞、例えば、ウズラ線維芽細胞ＱＴ６またはＱＴ３５細胞で増殖させることにより、復元されたＭＶＡを選択する工程と、
からなる、組換えＭＶＡを作製する方法。
【手続補正書】
【提出日】平成16年6月17日(2004.6.17)
【手続補正１】
【補正対象書類名】特許請求の範囲
【補正対象項目名】全文
【補正方法】変更
【補正の内容】
【特許請求の範囲】
【請求項１】
細胞培養におけるウイルスの増殖のための方法であって、該方法は、以下の工程：
（ａ）細胞をウイルスに感染させる工程；
（ｂ）感染後に、該ウイルスの増殖を可能にし、かつ同時に、さらに少なくとも２倍の該細胞の増殖を目的とした条件下で、該細胞を細胞培養において培養する工程、
を包含する、方法。
【請求項２】
感染後に、少なくとも５倍、好ましくは少なくとも１０倍の前記細胞の増殖を引き起こす条件下で、該細胞が培養される、請求項１に記載の方法。
【請求項３】
感染後に、少なくとも７日間、２１日間、または２８日間、好ましくは少なくとも３５日間、細胞培養において前記細胞が培養される、請求項２に記載の方法。
【請求項４】
前記ウイルスおよび細胞の目的とした増殖の間に、新鮮な培地、培地濃縮物または培地成分が少なくとも１回添加されるか、あるいは該ウイルスおよび細胞の少なくとも一部分が、新鮮な培地、培地濃縮物または培地成分を含む培養容器に移される、請求項１〜３のいずれか１項に記載の方法。
【請求項５】
前記培地、培地濃縮物もしくは培地成分の添加、または前記細胞およびウイルスの、別の培養容器への移転が少なくとも１回繰り返される、請求項１〜４のいずれか１項に記載の方法。
【請求項６】
前記培地、培地濃縮物もしくは培地成分の添加、または前記細胞およびウイルスの、別の培養容器への移転が数回繰り返される、請求項１〜５のいずれか１項に記載の方法。
【請求項７】
前記培地が、前記ウイルスおよび細胞の増殖の間に取り除かれる、請求項１〜６のいずれか１項に記載の方法。
【請求項８】
前記ウイルスおよび細胞の増殖の間に、培地が連続的に取り除かれ、そして新鮮な培地、培地濃縮物または培地成分が添加される、請求項１〜７のいずれか１項に記載の方法。
【請求項９】
前記細胞がＭＤＣＫ細胞である、請求項１〜８のいずれか１項に記載の方法。
【請求項１０】
感染前に、前記細胞が、接着培養されるか、または懸濁培養物として培養される、請求項１〜８のいずれか１項に記載の方法。
【請求項１１】
感染後に、前記細胞が、接着培養されるか、または懸濁培養物として培養される、請求項１〜１０のいずれか１項に記載の方法。
【請求項１２】
前記ＭＤＣＫ細胞が、細胞株ＭＤＣＫ３３０１６に由来する、請求項１〜１１のいずれか１項に記載の方法。
【請求項１３】
前記ウイルスが、ｓｓＤＮＡウイルス、ｄｓＤＮＡウイルス、ＲＮＡ（＋）ウイルス、ＲＮＡ（−）ウイルスまたはｄｓＲＮＡウイルスである、請求項１〜１２のいずれか１項に記載の方法。
【請求項１４】
前記ウイルスが、アデノウイルス、オルトミクソウイルスもしくはパラミクソウイルス、レオウイルス、ピコルナウイルス、エンテロウイルス、フラビウイルス、アレナウイルス、ヘルペスウイルスまたはポックスウイルスから選択される、請求項１〜１３のいずれか１項に記載の方法。
【請求項１５】
ポリオウイルス、Ａ型肝炎ウイルス、日本脳炎ウイルス、中央ヨーロッパ脳炎ウイルスおよび関連東部（ロシアまたは他の）形態、デングウイルス、黄熱病ウイルス、Ｃ型肝炎ウイルス、風疹ウイルス、流行性耳下腺炎ウイルス、麻疹ウイルス、ＲＳウイルス、ワクシニアウイルス、インフルエンザウイルス、ロタウイルス、ラブドウイルス、肺炎ウイルス、レオウイルス、１型ヘルペス単純ウイルスまたは２型ヘルペス単純ウイルス、サイトメガロウイルス、水痘‐帯状疱疹ウイルス、イヌアデノウイルス、エプスタイン‐バーウイルス、およびウシヘルペスウイルスもしくはブタヘルペスウイルス、ＢＨＶ−１様ウイルス、または仮性狂犬病ウイルスが、前記細胞の感染のために使用され、ここで、狂犬病ウイルス、ロタウイルス、肺炎ウイルスまたはＡ型肝炎ウイルスが特に好ましい、請求項１４に記載の方法。
【請求項１６】
ウイルスゲノムが少なくとも１０ｋｄのサイズの異種機能性タンパク質をコードする配列を有する、請求項１〜１５のいずれか１項に記載の方法。
【請求項１７】
前記培地が、血清を含まない、請求項１〜１６のいずれか１項に記載の方法。
【請求項１８】
前記培地が、化学的に規定された培地である、請求項１〜１７のいずれかに一項に記載の方法。
【請求項１９】
前記培地が、タンパク質を含まない、請求項１〜１８のいずれか１項に記載の方法。
【請求項２０】
前記ウイルスの増殖が、灌流システムにおいて行なわれる、請求項１〜１９のいずれか１項に記載の方法。
【請求項２１】
前記ウイルスの増殖が、バッチシステムにおいて行なわれる、請求項１〜１９のいずれか１項に記載の方法。
【請求項２２】
前記ＭＤＣＫ細胞が、前記ウイルスの増殖のために３０℃と４０℃との間の温度で培養される、請求項１〜２１のいずれか１項に記載の方法。
【請求項２３】
前記ＭＤＣＫ細胞が、前記ウイルスの増殖のために３５％と６０％との間の酸素分圧で培養される、請求項１〜２２のいずれか１項に記載の方法。
【請求項２４】
前記培地のｐＨ値が、前記ウイルスの増殖のためにｐＨ６．８とｐＨ７．８との間である、請求項１〜２３のいずれか１項に記載の方法。
【請求項２５】
前記ウイルスが、１０−８と１０との間のＭＯＩ値での感染によって前記ＭＤＣＫ細胞に導入される、請求項１〜２４のいずれか１項に記載の方法。
【請求項２６】
前記ウイルスまたはそれらによって発現されるタンパク質が、前記培養物の上清または回収された細胞から単離される、請求項１〜２５のいずれか１項に記載の方法。
【請求項２７】
前記培養培地の少なくとも１部分が、前記ウイルスまたはタンパク質の単離のために、前記ＭＤＣＫ細胞の少なくとも一部分から分離される、請求項２６に記載の方法。
【請求項２８】
前記分離が、ディープベッドフィルタまたは分離器によって起こる、請求項２７に記載の方法。
【請求項２９】
精製が、前記ウイルスの濃縮のための超遠心分離法を包含する、請求項２６〜２８のいずれか１項に記載の方法。
【請求項３０】
前記精製が、クロマトグラフィーを包含する、請求項２６〜２９のいずれか１項に記載の方法。
【請求項３１】
前記ウイルスが精製の間、不活性である、請求項２６〜３０のいずれか１項に記載の方法。
【請求項３２】
請求項１〜３２のいずれか１項に記載の方法を含む、薬物または診断剤の製造方法。
【請求項３３】
単離されたウイルスまたはタンパク質が、適切なアジュバント、補助剤、緩衝剤、希釈剤または薬物キャリアと混合される、請求項３２に記載の薬物または診断剤の製造方法。
【手続補正書】
【提出日】平成17年2月23日(2005.2.23)
【手続補正１】
【補正対象書類名】明細書
【補正対象項目名】００２９
【補正方法】変更
【補正の内容】
【００２９】
化合物の製造例
脂肪アルコール類、例えばミリスチルアルコールを従来様式でアルカリ触媒の存在下、プロピレンオキシドと反応させ、次いでリン酸のような適切な酸で中和した。得られたポリプロポキシル化脂肪アルコールを従来様式で化学量論量の脂肪族又は芳香族脂肪酸、例えばエチルヘキサン酸と反応させ、次いで炭酸ナトリウムのような適切な塩基で中和した。典型的な反応は次の通りである。
【化５】
2005502724.tif 000001
【化６】
2005502724.tif 000002
【手続補正書】
【提出日】平成16年7月6日(2004.7.6)
【手続補正１】
【補正対象書類名】特許請求の範囲
【補正対象項目名】全文
【補正方法】変更
【補正の内容】
【特許請求の範囲】
【請求項１】
布地にパターンをインクジェット印刷する方法であって、
印刷準備のできた布地に前処理溶液を付着させるステップ（１４）と、
前記前処理溶液から過剰な水分を蒸発させるステップ（１６）と、
前記布地にパターンをインクジェット印刷するステップ（１８）と、
前記パターンにおけるインクから過剰な水分を蒸発させるステップ（２０）と、
バインダを前記布地に付着させるステップ（２２）と、
前記バインダから過剰な水分を蒸発させ、前記バインダを硬化させるステップ（２４）と、
を含むことを特徴とする方法。
【請求項２】
請求項１記載の方法において、前記前処理、インク及びバインダから余剰の水分を蒸発させる前記ステップ（１６、２０、２４）は、前記布地を加熱することによって達成されることを特徴とする方法。
【請求項３】
請求項１記載の方法において、前記バインダは前記布地を加熱することによって硬化される（２４）ことを特徴とする方法。
【請求項４】
請求項１記載の方法において、前記前処理は、インク触媒及び／又は接着プロモータとして機能するアクリル性ポリマの陽イオン懸濁水溶液であることを特徴とする方法。
【請求項５】
請求項１記載の方法において、前記バインダは前記パターンの上に保護コーティングを形成し、前記前処理溶液に結合することを特徴とする方法。
【請求項６】
請求項１記載の方法において、前記バインダは、ポリアクリロニトリルの水溶液又はポリアクリロニトリルのラテックスであることを特徴とする方法。
【請求項７】
請求項１記載の方法において、前記バインダは、シリコーン・ポリマの水溶液又はシリコーン・ポリマのラテックスであることを特徴とする方法。
【請求項８】
請求項１記載の方法において、前記前処理及びバインダは、スプレーイング、ローリング、パディング又は水没で構成されるグループの中の１つの方法によって前記布地に付着される（１４、２２）ことを特徴とする方法。
【請求項９】
請求項１記載の方法において、前記蒸発させるステップ（１６、２０、２４）は、それぞれが、加熱プレート、加熱空気ブロワ、非加熱空気ブロワ、ＩＲラジエタ、マイクロウェーブ・ラジエタ及びガス・ヒータで構成されるグループの中の１つの装置によって達成されうることを特徴とする方法。
【請求項１０】
布地に印刷する装置であって、
布地にインク・パターンを印刷するインクジェット・プリンタ（６４）と、
印刷の前に、前記布地に前処理溶液を付着させるように構成された第１の付着アセンブリ（６６）と、
前記インクジェット・プリンタにおいて前記インク・パターンをインクジェット印刷する前に、前記前処理溶液から水分を蒸発させるように構成された第１の蒸発アセンブリ（６８）と、
前記インクジェット・プリンタによる印刷のあとで、前記インク・パターンから過剰な水分を蒸発させるように構成された第２の蒸発アセンブリ（７０）と、
前記インク・パターンからの水分の蒸発のあとで、バインダ溶液を前記布地に付着させるように構成された第２の付着アセンブリ（７２）と、
前記バインダ溶液から過剰な水分を蒸発させ、前記バインダ溶液を硬化させるように構成された第３の蒸発アセンブリ（７４）と、
を備えていることを特徴とする装置。
【手続補正書】
【提出日】平成17年3月1日(2005.3.1)
【手続補正１】
【補正対象書類名】特許請求の範囲
【補正対象項目名】請求項６
【補正方法】変更
【補正の内容】
【請求項６】
Ｚｎ／Ｖの比が、少なくとも約０．６であり、好ましくは少なくとも約１である請求項１乃至５のいずれかに記載のアルミニウム合金。
【手続補正書】
【提出日】平成16年3月17日(2004.3.17)
【手続補正１】
【補正対象書類名】特許請求の範囲
【補正対象項目名】全文
【補正方法】変更
【補正の内容】
【特許請求の範囲】
【請求項１】
ノーマルパラフィンの量がディーゼル燃料組成物に対し９９重量％未満であるノーマルパラフィンと分岐パラフィンとの混合物、及びディーゼル燃料組成物に対し１０重量％未満の量の芳香族炭化水素を含み、かつセタン価が４０以上で、硫黄含有量が１００ｐｐｍ未満で、引火点が１５５°Ｆ（６８℃）以上、好ましくは１６０°Ｆ（７１℃）以上であるディーゼル燃料組成物。
【請求項２】
前記ディーゼル燃料組成物のセタン価が、５０以上、好ましくは５５以上、更に好ましくは６０以上、なお更に好ましくは６５以上、最も好ましくは７０以上、好適には５０〜８０である請求項１に記載のディーゼル燃料組成物。
【請求項３】
前記ディーゼル燃料組成物の硫黄含有量が、８０ｐｐｍ未満、好ましくは５０ｐｐｍ未満、更に好ましくは２０ｐｐｍ未満、なお更に好ましくは１０ｐｐｍ未満、最も好ましくは５ｐｐｍ未満である請求項１又は２に記載のディーゼル燃料組成物。
【請求項４】
前記芳香族含有量が、ディーゼル燃料組成物に対し８重量％未満、好ましくは３重量％未満、好適には０．５〜９重量％である請求項１〜３のいずれか１項に記載のディーゼル燃料組成物。
【請求項５】
前記ノーマルパラフィンが、ディーゼル燃料組成物に対し９７重量％未満、好ましくは９５重量％未満、更に好ましくは８０重量％未満、なお更に好ましくは７０重量％未満、なお一層更に好ましくは６０重量％未満、最も好ましくは５０重量％未満である請求項１〜４のいずれか１項に記載のディーゼル燃料組成物。
【請求項６】
前記ディーゼル燃料組成物の曇り点が、−１０°Ｆ（−２３℃）未満、好ましくは−２０°Ｆ（−２９℃）未満、更に好ましくは−３０°Ｆ（−３４℃）未満である請求項１〜５のいずれか１項に記載のディーゼル燃料組成物。
【請求項７】
前記ディーゼル燃料組成物の流動点が、−１０°Ｆ（−２３℃）未満、好ましくは−２０°Ｆ（−２９℃）未満、更に好ましくは−３０°Ｆ（−３４℃）未満である請求項１〜６のいずれか１項に記載のディーゼル燃料組成物。
【請求項８】
前記ディーゼル燃料組成物の常温油コシ詰まり点が、−１０°Ｆ（−２３℃）未満、好ましくは−２０°Ｆ（−２９℃）未満、更に好ましくは−３０°Ｆ（−３４℃）未満、最も好ましくは−４０°Ｆ（−４０℃）未満である請求項１〜７のいずれか１項に記載のディーゼル燃料組成物。
【請求項９】
前記ディーゼル燃料組成物の沸点範囲が、２５０〜１０００°Ｆ（１２１〜５３８℃）、好ましくは３５０〜８００°Ｆ（１７７〜４２７℃）、最も好ましくは４００〜７５０°Ｆ（２０４〜３９９℃）である請求項１〜８のいずれか１項に記載のディーゼル燃料組成物。
【請求項１０】
前記ディーゼル燃料組成物のセタン指数が、５０以上、好ましくは５５以上、更に好ましくは６０以上である請求項１〜９のいずれか１項に記載のディーゼル燃料組成物。
【請求項１１】
更に少なくとも１種の添加物を含み、該添加物は好ましくは潤滑性添加物であり、該潤滑性添加物は好ましくはエステルであり、該エステルは好ましくは脂肪酸メチルエステルである請求項１〜１０のいずれか１項に記載のディーゼル燃料組成物。
【請求項１２】
ノーマルパラフィンと分岐パラフィンとの混合物を得る工程、
ディーゼル燃料組成物中のノーマルパラフィンの含有量を９９重量％未満に限定する工程、
ディーゼル燃料組成物中の芳香族含有量を１０重量％未満に限定する工程、及び
ディーゼル燃料組成物中の硫黄含有量を１００ｐｐｍ未満に限定する工程、
を含む、セタン価が４０以上で、引火点が１５５°Ｆ（６８℃）以上であるディーゼル燃料組成物の製造方法。
【請求項１３】
ノーマルパラフィンの量がディーゼル燃料組成物に対し９９重量％未満であるノーマルパラフィンと分岐パラフィンとの混合物、及びディーゼル燃料組成物に対し１０重量％未満の量の芳香族炭化水素を含み、かつセタン価が４０以上で、硫黄含有量が１００ｐｐｍ未満で、引火点が１５５°Ｆ（６８℃）以上であるディーゼル燃料組成物を提供する工程、
該ディーゼル燃料組成物をディーゼルエンジンに配送する工程、及び
該ディーゼル燃料組成物を燃焼させて、ディーゼルエンジンの稼働用エネルギーを発生させる工程、
を含むディーゼルエンジンの稼働方法。
【請求項１４】
ノーマルパラフィンの量がディーゼル燃料に対し９９重量％未満であるノーマルパラフィンと分岐パラフィンとの混合物、及びディーゼル燃料に対し１０重量％未満の量の芳香族炭化水素を含み、かつセタン価が４０以上で、硫黄含有量が１００ｐｐｍ未満で、引火点が１５５°Ｆ（６８℃）以上であるディーゼル燃料を適切な容器に貯蔵する工程を含む非常用ディーゼル燃料の提供方法。
【請求項１５】
ディーゼルエンジンは長期間使用されず、かつ従来のディーゼル燃料の貯蔵タンクにより供給され、従来のディーゼル燃料は、非常用発電機を必要としない比較的長期間で劣化する傾向があり、その結果、非常用発電機を必要とした時、ディーゼルエンジンは正しく操作できないか、或いは低効率の操作となる、時々又は滅多にない停電の間、該ディーゼルエンジンで稼働する非常目的用発電機の操作方法であって、前記貯蔵タンクに、ノーマルパラフィンの量がディーゼル燃料に対し９９重量％未満であるノーマルパラフィンと分岐パラフィンとの混合物、及びディーゼル燃料に対し１０重量％未満の量の芳香族炭化水素を含み、かつセタン価が４０以上で、硫黄含有量が１００ｐｐｍ未満で、引火点が１５５°Ｆ（６８℃）以上であるディーゼル燃料を満たす工程を含み、該ディーゼル燃料を従来の比較的短期間用のディーゼル燃料に代って使用することにより比較的長期間使用しなくても燃料劣化及び潜在するエンジンの不完全な機能の問題を実質的に除去する該方法。
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
ａ）直接フルオリド化金属酸化物、
ｂ）アルミノキサン、及び
ｃ）少なくとも１個のホスフィンイミン配位子を有する第４族金属触媒
を含有するオレフィン重合用担持触媒系。
【請求項２】
前記第４族金属が、チタン、ハフニウム及びジルコニウムからなる群より選択される、請求項１に記載の触媒系。
【請求項３】
前記第４族金属触媒が次式、
【化１】
2005502777.tif 000001
（式中、Ｌ１はホスフィンイミン配位子であり、Ｍはチタン、ハフニウム及びジルコニウムからなる群より選択され、Ｌ２はシクロペンタジエニル、置換シクロペンタジエニル及びヘテロ原子配位子からなる群より独立に選択され、但し、Ｌ１とＬ２は任意選択的に一緒に架橋され二座配位子を形成してもよく、各Ｌ３は活性化可能な配位子である。）
で定義される、請求項２に記載の触媒系。
【請求項４】
Ｌ２がシクロペンタジエニル及び置換シクロペンタジエニルから選択され、Ｌ１がホスフィンイミン配位子であり、ｎが２であり、かつ各Ｌ３がハロゲン化物である、請求項３に記載の触媒系。
【請求項５】
前記金属酸化物がシリカであり、前記アルミノキサンがメチルアルミノキサンであることを更に特徴とする、請求項１に記載の触媒系。
【請求項６】
前記直接フルオリド化金属酸化物が０．０１から１０重量％までのフッ素濃度のフッ素を含有することを更に特徴とする、請求項５に記載の触媒系。
【請求項７】
前記アルミノキサンが、前記直接フルオリド化金属酸化物と前記アルミノキサンの合計重量を基準にして１から４０重量％までの量で存在する、請求項６に記載の触媒系。
【請求項８】
前記アルミノキサン中に含まれるアルミニウムの遷移金属Ｍに対する比が１０：１から２００：１である、請求項７に記載の触媒系。
【請求項９】
少なくとも１種のオレフィンモノマーを重合条件下にて請求項１に記載の担持触媒系と接触させる工程を含む、オレフィン重合のための方法。
【手続補正書】
【提出日】平成16年6月29日(2004.6.29)
【手続補正１】
【補正対象書類名】特許請求の範囲
【補正対象項目名】請求項２６
【補正方法】変更
【補正の内容】
【請求項２６】
(a)  有機蒸気源
(b)  同伴ガス源
(c)  真空室
(d)  該真空室内に配置された冷却基体上に同伴ガスと有機蒸気を噴出するように適応させた少なくとも１個のノズルを有し、該有機蒸気源と該同伴ガス源に取り付けられた加熱ノズルブロック
を含む装置。
【手続補正２】
【補正対象書類名】明細書
【補正対象項目名】００２７
【補正方法】変更
【補正の内容】
【００２７】
図２はマスク２２０を有する真空熱蒸着システム２００のより詳細な図を示す。源２１０は、10-6〜10-7 Torrの程度の真空中に拡散する有機物質を提供する。該有機物質は該真空を通して且つシャドウマスク２２０を通して拡散する。開口２２２を有するシャドウマスク２２０は基体２３０から距離s離れて配置されている。有機物質はシャドウマスクを通過してから基体２３０上に沈着して模様有機層２４０を形成する。
【手続補正３】
【補正対象書類名】明細書
【補正対象項目名】００３２
【補正方法】変更
【補正の内容】
【００３２】
図５はシャドウマスクを通しての拡散方式沈着に対する模擬実験結果を示す。公称s=10μmおよび18μmのマスク厚さに対して、λ= 8.25, 82.5 および825μm
2005502779.tif 000001
に対する沈着模様が図５に示されている。分子を、平均分子熱運動速度を有する任意の角度でマスクから2000μm離れた点から発射し、模擬空間体積にわたり拡散させた。基体の付近の濃度分布は線状であることが分ったが、それは移送が純粋に拡散性であることを示している。これが、図５において異なる値のλに対してdの相違が観察されない理由である。又連続体モデルと一致して、基体とマスクに沈着する分子の割合、即ち、沈着効率は、小さなDorgに対応する小さなλの方が、より低い。この模擬実験は、30μmのマスク開口幅、18μmのマスク厚み、およびマスク離隔距離、s=10μmで、行った。プロット５１０，５２０および５３０は、Pdep = 1.0, 0.1, 0.01 Torrでλ= 8.25, 82.5, 825に対して、マスク（高部）および基体（底部）上への沈着厚さ分布を示している。プロット５１０，５２０および５３０の間で画素形状に顕著な相違は無く、これは純粋に拡散性の方式では圧力が縁の分散に殆ど影響を有さないことを示すものであり、沈着効率は予想通りλの値が低くなると低下する。
【手続補正４】
【補正対象書類名】明細書
【補正対象項目名】００３５
【補正方法】変更
【補正の内容】
【００３５】
図８はシャドウマスクを通しての拡散方式沈着に対する模擬実験結果を示す。λ=82.5μmかつs=10μmで、マスクの開口幅は30μmである。プロット８１０および８２０は、夫々δ=410μmおよびδ=2060μmに対する結果を示す。ここでは、噴射点を基体に近づけるように調節することにより、有効境界層厚さを2060μmから410μmに減少させる。基体への拡散限定移送用の連続体モデルと一致して、δがλに近づくに従って、沈着効率は増加する。ここでは、分子を基体に近づけて噴射することにより有効δを変えた。
【手続補正書】
【提出日】平成16年4月15日(2004.4.15)
【手続補正１】
【補正対象書類名】明細書
【補正対象項目名】０００６
【補正方法】変更
【補正の内容】
【０００６】
多くのポリマー及びコポリマーが、強誘電性又はエレクトレット特性を有し、マトリックスメモリデバイスでのメモリ材料としての使用に適したものにするスイッチング現象を示すことが知られている。例えば、Ｔａｊｉｔｓｕ他の「フッ化ビニリデン／トリフルオロエチレンコポリマーの、その構造との関連におけるスイッチング特性の研究（Ｉｎｖｅｓｔｉｇａｔｉｏｎ  ｏｆ  Ｓｗｉｔｃｈｉｎｇ  Ｃｈａｒａｃｔｅｒｉｓｔｉｃｓ  ｏｆ  Ｖｉｎｙｌｉｄｅｎｅ  Ｆｌｕｏｒｉｄｅ／Ｔｒｉｆｌｕｏｒｏｅｔｈｙｌｅｎｅ  Ｃｏｐｏｌｙｍｅｒｓ  ｉｎ  Ｒｅｌａｔｉｏｎ  ｔｏ  Ｔｈｅｉｒ  Ｓｔｒｕｃｔｕｒｅｓ）」（Ｊａｐａｎｅｓｅ  Ｊｏｕｒｎａｌ  ｏｆ  Ａｐｐｌｉｅｄ  Ｐｈｙｓｉｃｓ第２６巻、５５４頁（１９８７年））という表題の報文に、ポリビニリデンジフルオライド−トリフルオロエチレン（ＰＶＤＦ−ＴｒＦＥ）コポリマーのスイッチング特性が提示され、不揮発性マトリックスメモリでのメモリ材料としての使用に適していることが示されている。強誘電性ポリマー、具体的には非常に薄いフィルム状に蒸着して焦電刺激に対する非常に速い応答を提供できる、強誘電性材料としてのポリビニリデンジフルオライド（ＰＶＤＦ）又はコポリマーＰＶＤＦ−ＴｒＦＥの使用を開示している、ＩＢＭ  Ｔｅｃｈｎｉｃａｌ  Ｄｉｓｃｌｏｓｕｒｅ  Ｂｕｌｌｅｔｉｎ、第３７巻、第１１号（１９９４年１１月）も参照することができる。この報告は、二次元的なメモリデバイスの積層を作製して、大容量のデータ貯蔵デバイスを形成する可能性も開示している。
【手続補正２】
【補正対象書類名】明細書
【補正対象項目名】００１８
【補正方法】変更
【補正の内容】
【００１８】
図１は、上記したように、パッシブマトリックスメモリ中にワードラインＷＬを含む第１のセットの電極と、ビットラインＢＬを含む第２のセットの電極とを有する好ましいパッシブマトリックスメモリを非常に概略的に示す。これらの電極セットは、強誘電性もしくはエレクトレットポリマー又はコポリマーメモリ材料１１の非常に薄い膜の周りに配置されており、ポリマー又はコポリマーは重水素化されている、すなわち重陽子で置き換えられた水素原子をポリマー鎖中に有している。図１の線Ａ−Ａに沿って切った図２の断面図は、ワードライン電極ＷＬとビットライン電極ＢＬの間に挟まれて薄膜メモリ材料が提供されていることを示している。薄膜メモリ材料の厚さは一般的に、１μｍ未満、好ましくはずっと薄く、例えば分子単層の厚さである。ワードライン電極ＷＬのセットとビットライン電極ＢＬのセットは、メモリ材料１１をその間に挟んで平行する平面に位置し、ワードラインＷＬとビットラインＢＬの交差部に、コンデンサ状構造の形の定義されたメモリセル１２が存在する。電場を印加すると、セル中のメモリ材料は分極し、図３のヒステリシスループで与えられるヒステリシスを示す。ここで、印加された電場Ｅはｘ軸で、分極Ｐはｙ軸で示され、他方、−Ｅc及び＋Ｅcはそれぞれ強制的場であり、＋Ｐr及び−Ｐrはそれぞれ残留分極である。スイッチング電圧はＶsで表す。例えばメモリセルが最初にその残留分極状態−Ｐrである場合、正のスイッチング電圧Ｖsを印加するとメモリセルの極性をすべて逆転させ、図示したようにヒステリシスループに沿ってヒステリシスループの上部先端で飽和に達するまで分極を推進し、その後は電場の印加なしでも、分極はここで安定した正の残留分極Ｐrへドリフトする。
【手続補正３】
【補正対象書類名】明細書
【補正対象項目名】００３０
【補正方法】変更
【補正の内容】
【００３０】
本出願者は、プロトン化ポリマーメモリ材料の代替品として、重水素化形態の多くの候補のポリマー及びコポリマー材料を現在検討している。現在、重水素化ＰＶＤＦ又は重水素化ＰＶＤＦ−ＴｒＦＥは強力な候補材料であるようである。しかしこのことは、水素原子を有する多くの他のポリマー及びコポリマーが、上記と同様の合成手順を容易に施すことができ、本発明によるメモリデバイス用の強誘電性又はエレクトレットポリマーメモリ媒体をもたらすが、ポリマー又はコポリマー鎖中のどこにおいてもプロトンを重陽子で置き換えて、スイッチング性能及びデータ貯蔵特性の改善をもたらすことを排除するものではない。